(57)【要約】【課題】光受・送信モジュールに電気的なノイズが侵入することを防止でき、かつ光受・送信モジュールから外部に電気的なノイズが放射することを防止できる光コネクタを提供する。【解決手段】光コネクタとしてのレセプタクル１は箱状のハウジング５と光受・送信モジュールとしての光受・送信デバイス７ａ，７ｂとモジュールケース８とシールドケース９を備えている。ハウジング５は格納室を備えている。光受・送信デバイス７ａ，７ｂは光電変換素子を有した本体部１５ａ，１５ｂを備えている。モジュールケース８は本体部１５ａ，１５ｂを収容する。シールドケース９は開口部２５を通してモジュールケース８が挿入される収容部１９を備えている。シールドケース９はモジュールケース８のみを収容する。シールドケース９は格納室内に収容されてハウジング５に取り付けられる。【選択図】      図２
2005024944.tif 000002
【特許請求の範囲】
【請求項１】
絶縁性の合成樹脂からなりかつ光受・送信モジュール双方を収容するハウジングを備えた光コネクタにおいて、
絶縁性の合成樹脂からなりかつ光受・送信モジュール双方を収容するモジュールケースと、
導電性を有しかつ前記モジュールケースのみが開口部を通して挿入されるとともに、前記ハウジングに取り付けられる箱状のシールドケースと、
を備えたことを特徴とする光コネクタ。
【請求項２】
前記光受・送信モジュールは、光電変換素子を有する本体部と、この本体部から突出しているとともに前記光電変換素子と電気的に接続した複数の端子と、を備え、
前記モジュールケースは、前記光受・送信モジュールの本体部を収容するとともに、前記光受・送信モジュールの本体部を収容すると、前記複数の端子の隣接する端子間に位置付けられる位置決め部を備えていることを特徴とする請求項１記載の光コネクタ。
【請求項３】
前記シールドケースは、前記光受・送信モジュールのうち一方を収容する第１収容部と、他方を収容する第２収容部と、前記第１収容部と第２収容部との間に設けられかつこれら第１収容部と第２収容部とを区画する隔壁と、を備えたことを特徴とする請求項１または請求項２記載の光コネクタ。
【請求項４】
前記シールドケースは、板金からなり、前記第１収容部を構成する板金の一部と前記第２収容部を構成する板金の一部とが互いに重なっていることを特徴とする請求項３記載の光コネクタ。
【発明の詳細な説明】
【０００１】
【発明の属する技術分野】
本発明は、光ファイバと、光受・送信モジュールとを互いに光学的に接続する光コネクタに関する。
【０００２】
【従来の技術】
従来、自動車の補機等の接続には組電線であるワイヤハーネスが用いられていた。しかしながら、近年の補機やその回路数の増加等に伴って、ワイヤハーネスが肥大化・重量化するという問題を生じている。この種の問題を解消するためにワイヤハーネスの一部に光ファイバケーブルを用いて補機等に信号を送る光ファイバ通信システムが提案されている。
【０００３】
前記光ファイバ通信システムでは、光ファイバケーブルから伝送されてくる信号光を電気的な信号に変換し、かつ電気的な信号を光ファイバケーブルに向かって出射する信号光に変換するために、図８などに示す光コネクタとしてのレセプタクル１００（例えば、特許文献１参照）が提案されている。
【０００４】
図８に例示されたレセプタクル１００には、相手側の光コネクタとしての図示しない光プラグ（光ファイバ側コネクタ）が嵌合する。また、レセプタクル１００は、外部の電子部品としての印刷配線板１０１に取り付けられる。レセプタクル１００は、合成樹脂などからなるハウジング１０２と、光受・送信モジュール１０３，１０３と、一対のスリーブ１０４と、モジュールキャップ１０５と、シールドケース１０６とを備えている。
【０００５】
ハウジング１０２は、導電性の合成樹脂からなり、箱状に形成されている。ハウジング１０２は、図８中奥側に位置する外壁に開口した一対の格納室を備えている。また、ハウジング１０２には、図８中手前側に前述した光プラグが嵌合する。
【０００６】
光受・送信モジュール１０３，１０３は、光電変換素子を内蔵した本体部１０７と、この本体部１０７から突出した複数の端子１０８とを備えている。本体部１０７は、格納室内に収容される。端子１０８は、本体部１０７が格納室内に収容されると、ハウジング１０２外に突出する。端子１０８は、光電変換素子と電気的に接続している。端子１０８は、印刷配線板１０１の図示しない導体パターンと電気的に接続する。
【０００７】
一対のスリーブ１０４は、それぞれ、導光材料からなり円柱状に形成され、ハウジング１０２の図示しない受承筒内に挿入されてハウジング１０２に取り付けられる。スリーブ１０４は、互いに屈折率が異なって形成されかつ同軸的に配されたコアとクラッドとを備えている。
【０００８】
スリーブ１０４は、前記ハウジング１０２に嵌合した光プラグの一対の光ファイバそれぞれと、光受・送信モジュール１０３，１０３の光電変換素子それぞれとの間に配される。スリーブ１０４は、光ファイバそれぞれと、光受・送信モジュール１０３，１０３の光電変換素子それぞれとを光学的に接続する。
【０００９】
モジュールキャップ１０５は、板状に形成されかつハウジング１０２の前記格納室が開口した外壁に取りつけられる。モジュールキャップ１０５は、ハウジング１０２に装着されるとこのハウジング１０２とともに、光受・送信モジュール１０３，１０３を覆う。
【００１０】
シールドケース１０６は、導電性の板金からなり、ハウジング１０２を覆う本体部１０９と、本体部１０９に連なりかつ該本体部１０９から印刷配線板１０１に向かって突出した係止部１１０とを一体に備えている。本体部１０９は、複数の開口部１１１，１１２を備えた箱状に形成されている。
【００１１】
本体部１０９は、複数の開口部１１１，１１２のうち一つの開口部１１２を通して、内側にハウジング１０２が挿入される。そして、本体部１０９は、ハウジング１０２全体を収容する（覆う）。本体部１０９がハウジング１０２を収容すると、本体部１０９の他の開口部１１１はハウジング１０２の光プラグが侵入する開口部と重なる。係止部１１０は、印刷配線板１０１の係止孔１１３に係止するとともに、印刷配線板１０１の係止孔１１３に係止すると該印刷配線板１０１の導体パターンと電気的に接続する。また、シールドケース１０６は、ハウジング１０２と電気的に接続する。
【００１２】
光プラグは、一対の光ファイバと、一対のフェルールと、合成樹脂からなるプラグハウジングと、を備えている。一対の光ファイバは、互いに並設されている。一対のフェルールは、それぞれ、光ファイバの端面が露出した状態で被覆する。プラグハウジングは、内部にフェルールを収容するとともに、ハウジング１０２に嵌合する。
【００１３】
前述した構成のレセプタクル１００は、光プラグが嵌合すると、光ファイバのうち一方から伝送されてきた信号光を一方のスリーブ１０４を介して光受信モジュール１０３の光電変換素子に受光させる。すると、光受信モジュール１０３が所望の電気的な信号に変換する。また、レセプタクル１００は、光送信モジュール１０３が電気的な信号を所望の信号光に変換して、前記他方のスリーブ１０４に向かって出射し、該スリーブ１０４を介して前記他方の光ファイバに伝送させる。
【００１４】
また、前述したレセプタクル１００は、外部から光受信モジュール１０３および光送信モジュール１０３に侵入する電気的なノイズを、シールドケース１０６の本体部１０９及びハウジング１０２から係止部１１０を介して、印刷配線板１０１の導体パターンに導く。シールドケース１０６及びハウジング１０２が、外部から光受信モジュール１０３および光送信モジュール１０３に電気的なノイズが侵入することを防止する。
【００１５】
また、前述したレセプタクル１００は、光受信モジュール１０３および光送信モジュール１０３から発生した電気的なノイズをハウジング１０２及びシールドケース１０６の本体部１０９から係止部１１０を介して、印刷配線板１０１の導体パターンに導く。前述したレセプタクル１００は、シールドケース１０６及びハウジング１０２が、光受信モジュール１０３および光送信モジュール１０３から電気的なノイズが外部に放出することを防止する。
【００１６】
【特許文献１】
特開２００２−２３０２７号公報
【００１７】
【発明が解決しようとする課題】
しかしながら、前述したレセプタクル１００は、シールドケース１０６がハウジング１０２の全体を覆う。このため、前述した開口部１１１，１１２が大きくなる傾向であった。このため、前述したシールドケース１０６は、外部から侵入しようとするノイズを完全に遮断することが困難であるとともに、外部に放射しようとするノイズを完全に遮断することが困難である。このように、前述したレセプタクル１００は、シールドケース１０６が電気的なノイズを完全に遮断することが困難となる傾向であった。
【００１８】
また、前述したハウジング１０２が、導電性の合成樹脂からなる。このため、前述したレセプタクル１００は、光受信モジュール１０３および光送信モジュール１０３の端子１０８と、ハウジング１０２とを接触させることができない。このため、前述したレセプタクル１００は、端子１０８の位置決めが不完全となり、端子１０８がハウジング１０２に対してがたつくことが多い。前述したレセプタクル１００は、印刷配線板１０１に取り付けられると、端子１０８などががたついて、端子１０８則ち光受信モジュール１０３および光送信モジュール１０３と印刷配線板１０１との電気的な接続が不安定になる虞があった。
【００１９】
したがって、本発明の第１の目的は、光受・送信モジュールに電気的なノイズが侵入することを防止でき、かつ光受・送信モジュールから外部に電気的なノイズが放射することを防止できる光コネクタを提供することにある。本発明の第２の目的は、光受・送信モジュールを外部の電子部品と確実に電気的に接続できる光コネクタを提供することにある。
【００２０】
【課題を解決するための手段】
前記第１の目的を達成するために、請求項１に記載の本発明の光コネクタは、絶縁性の合成樹脂からなりかつ光受・送信モジュール双方を収容するハウジングを備えた光コネクタにおいて、絶縁性の合成樹脂からなりかつ光受・送信モジュール双方を収容するモジュールケースと、導電性を有しかつ前記モジュールケースのみが開口部を通して挿入されるとともに、前記ハウジングに取り付けられる箱状のシールドケースと、を備えたことを特徴としている。
【００２１】
前記第１の目的にくわえ第２の目的を達成するために、請求項２に記載の本発明の光コネクタは、請求項１に記載の光コネクタにおいて、前記光受・送信モジュールは、光電変換素子を有する本体部と、この本体部から突出しているとともに前記光電変換素子と電気的に接続した複数の端子と、を備え、前記モジュールケースは、前記光受・送信モジュールの本体部を収容するとともに、前記光受・送信モジュールの本体部を収容すると、前記複数の端子の隣接する端子間に位置付けられる位置決め部を備えていることを特徴としている。
【００２２】
請求項３に記載の本発明の光コネクタは、請求項１または請求項２に記載の光コネクタにおいて、前記シールドケースは、前記光受・送信モジュールのうち一方を収容する第１収容部と、他方を収容する第２収容部と、前記第１収容部と第２収容部との間に設けられかつこれら第１収容部と第２収容部とを区画する隔壁と、を備えたことを特徴としている。
【００２３】
請求項４に記載の本発明の光コネクタは、請求項３に記載の光コネクタにおいて、前記シールドケースは、板金からなり、前記第１収容部を構成する板金の一部と前記第２収容部を構成する板金の一部とが互いに重なっていることを特徴としている。
【００２４】
請求項１に記載した本発明の光コネクタによれば、シールドケースが光受・送信モジュールを収容するモジュールケースのみを収容する。このため、シールドケースの開口部を小さくすることができる。
【００２５】
請求項２に記載した本発明の光コネクタによれば、光受・送信モジュールの隣接する端子間に位置決め部が位置付けられる。このため、端子は、モジュールケースに対し移動しようとすると、位置決め部に接触しようとする。また、位置決め部により端子同士が接触することを防止できる。
【００２６】
請求項３に記載した本発明の光コネクタによれば、シールドケースに隔壁が設けられている。このため、光受信モジュールから出力される電気的な信号により発生する電気的なノイズが、光送信モジュールに侵入することを防止できる。また、光送信モジュールに入力する電気的な信号により発生する電気的なノイズが、光受信モジュールに侵入することを防止できる。
【００２７】
請求項４に記載した本発明の光コネクタによれば、第１収容部を構成する板金の一部と第２収容部を構成する板金の一部とが重なっている。このため、これらの収容部を構成する板金が互いに重なった箇所から、電気的なノイズが外部に放出されることを防止できる。
【００２８】
【発明の実施の形態】
以下に本発明の一実施形態にかかる光コネクタとしてのレセプタクル（機器側コネクタ）を図１ないし図７を参照して説明する。本発明の一実施形態にかかる光コネクタとしてのレセプタクル（機器側コネクタ）１には、図示しない相手側の光コネクタとしての光プラグが嵌合する。光プラグは、一対の光ファイバケーブルと、一対のフェルールと、プラグハウジングと、フェルール係止部材と、を備えている。
【００２９】
光ファイバケーブルは、導光材料からなる光ファイバと、該光ファイバを被覆する第１シース部及び第２シース部を備えている。光ファイバは、互いに屈折率が異なるように形成されかつ互いに同軸的に配されたコアとクラッドとを備えた従来から周知のマルチモードプラスチック光ファイバである。
【００３０】
フェルールは、それぞれ合成樹脂から形成されている。フェルールは、段階的に外径が変化する円管状に形成されている。それぞれのフェルールは、光ファイバケーブルの端末に取り付けられる。それぞれのフェルールは、光ファイバケーブルと固定されている。
【００３１】
プラグハウジングは、合成樹脂からなりかつ箱状に形成されている。プラグハウジングは、それぞれ、光ファイバケーブルと固定されたフェルールを収容する。
【００３２】
また、プラグハウジングの一つの外壁には、挿入孔が貫通している。さらに、プラグハウジングの他の一つの外壁には、レセプタクルに対する係止突起を有する可撓性のロックアームが設けられている。
【００３３】
フェルール係止部材は、挿入孔を通して、プラグハウジング内に挿入される。フェルール係止部材は、プラグハウジングに係止するなどして固定される。フェルール係止部材は、プラグハウジング内に挿入されると、フェルールを係止して、フェルールが、プラグハウジング内から抜け出ることを規制する。
【００３４】
レセプタクル１は、前述した補機としての各種の電子機器などの印刷配線板（Ｐｒｉｎｔｅｄ  Ｃｉｒｃｕｉｔ  Ｂｏａｒｄ：ＰＣＢ）２などに取り付けられる。印刷配線板２は、本明細書に記した外部の電子部品をなしている。印刷配線板２は、図１及び図２に示すように、絶縁性の基板３と、該基板３の表面に形成された図示しない導体パターンとを備えている。導体パターンは、銅などの導電性の金属からなり箔（膜状）に形成された基板３の表面に貼り付けられている。
【００３５】
また、印刷配線板２には、後述するアース端子部２０が係合するスリット４と、リード端子１６ａ，１６ｂが通される図示しない孔とが設けられている。これらのスリット４と孔は、印刷配線板２を貫通している。
【００３６】
レセプタクル１は、図２に示すように、合成樹脂からなるハウジング５と、一対のスリーブ６と、光受信モジュール（Ｆｉｂｅｒ  Ｏｐｔｉｃ  Ｔｒａｎｓｃｅｉｖｅｒ：ＦＯＴ）としての光受信デバイス７ａと、光送信モジュール（Ｆｉｂｅｒ  Ｏｐｔｉｃ  Ｔｒａｎｓｃｅｉｖｅｒ：ＦＯＴ）としての光送信デバイス７ｂと、モジュールケース８と、シールドケース９と、を備えている。
【００３７】
ハウジング５は、合成樹脂からなり、図１及び図２に示すように、前記印刷配線板に沿って配される底壁１０と、この底壁１０に対し間隔を存して相対する天井壁１１と、前記底壁１０と天井壁１１との双方に連なりかつ互いに間隔を存して相対する一対の側壁１２と、これらの壁１０，１１，１２の図１及び図２中奥側の一端部に連なりかつハウジング５内を塞ぐ図示しない奥壁を備えて箱状（筒状）に形成されている。奥壁により、ハウジング５内の空間は、図１及び図２中手前側に位置する嵌合室１３と、図１及び図２中奥側に位置する格納室とに区画されている。（仕切られている）。
【００３８】
嵌合室１３内には、前述した光プラグが侵入する。嵌合室１３には、光プラグが嵌合する。格納室は、光受信デバイス７ａと光送信デバイス７ｂとモジュールケース８とシールドケース９の後述する収容部１９の光プラグ寄りの一端部を収容する。
【００３９】
また、ハウジング５は、奥壁に設けられた図示しない一対の受承筒を備えている。一対の受承筒は、それぞれ、内径がスリーブ６の外径と略等しい円筒状に形成されている。一対の受承筒は、奥壁に連なっているとともに、該奥壁を貫通している。また、それぞれの受承筒は、嵌合室１３と格納室とを互いに連通している。
【００４０】
さらに、ハウジング５は、一対のアース端子圧入部１４を備えている。アース端子圧入部１４は、ハウジング５の一対の側壁１２それぞれの外面に設けられている。アース端子圧入部１４には、シールドケース９の後述するアース端子部２０が圧入される。
【００４１】
光受信デバイス７ａと光送信デバイス７ｂとは、それぞれ、モジュールケース８内に収容された格好で、格納室内に収容される。光受信デバイス７ａは、受光した信号光を電気的な信号に変換するデバイスであり、前記モジュールケース８内に収容される本体部１５ａと、複数のリード端子１６ａとを備えている。
【００４２】
本体部１５ａは、平面形状が矩形状の扁平な板状に形成されている。本体部１５ａは、前記信号光を受光するための光電変換素子を備えている。光電変換素子は、モジュールケース８内に収容された格好で光受信デバイス７ａが格納室内に収容されると、ハウジング５に嵌合した光プラグの光ファイバケーブルの端面と相対する。光電変換素子は、光ファイバケーブルから受光した信号光を電気的な信号に変換する。
【００４３】
リード端子１６ａは、一端が本体部１５ａに連なっているとともに、この本体部１５ａから突出している。リード端子１６ａは、光電変換素子と電気的に接続している。リード端子１６ａは、光受信デバイス７ａが格納室内に収容されると、ハウジング５の底壁１０から外（下）方向に突出する。リード端子１６ａは、レセプタクル１が印刷配線板２に取り付けられると、この印刷配線板２の導体パターンと電気的に接続する。リード端子１６ａは、本明細書に記した端子をなしている。
【００４４】
光送信デバイス７ｂは、電気的な信号を信号光に変換するデバイスであり、前記モジュールケース８内に収容される本体部１５ｂと、複数のリード端子１６ｂとを備えている。
【００４５】
本体部１５ｂは、平面形状が矩形状の扁平な板状に形成されている。本体部１５ｂは、前記信号光を受光するための光電変換素子を備えている。光電変換素子は、モジュールケース８内に収容された格好で光送信デバイス７ｂが格納室内に収容されると、ハウジング５に嵌合した光プラグの光ファイバケーブルの端面と相対する。光電変換素子は、電気的な信号を信号光に変換する。
【００４６】
リード端子１６ｂは、一端が本体部１５ｂに連なっているとともに、この本体部１５ｂから突出している。リード端子１６ｂは、光電変換素子と電気的に接続している。リード端子１６ｂは、光送信デバイス７ｂが格納室内に収容されると、ハウジング５の底壁１０から外（下）方向に突出する。リード端子１６ｂは、レセプタクル１が印刷配線板２に取り付けられると、この印刷配線板２の導体パターンと電気的に接続する。リード端子１６ｂは、本明細書に記した端子をなしている。
【００４７】
一対のスリーブ６は、それぞれ、外径が受承筒の内径と略等しい円柱状に形成されている。スリーブ６は、それぞれ、信号光を伝送する導光路（導波路とも呼ぶ）を備えている。スリーブ６は、それぞれ、受承筒内に挿入されて、光プラグの光ファイバケーブルと、光受・送信デバイス７ａ，７ｂの光電変換素子とを光学的に接続する。
【００４８】
モジュールケース８は、合成樹脂からなり、図２中奥側に開口部２７を有した扁平な箱状に形成されている。モジュールケース８は、開口部２７を通して光受・送信デバイス７ａ，７ｂが挿入されるようになっている。モジュールケース８は、これらの光受・送信デバイス７ａ，７ｂの本体部１５ａ，１５ｂのみを収容する。モジュールケース８が本体部１５ａ，１５ｂのみを収容することを、本明細書では、モジュールケース８が光受・送信デバイス７ａ，７ｂ双方を収容すると記す。
【００４９】
また、モジュールケース８には、図５に示すように、複数の切り欠き１７が設けられている。切り欠き１７は、モジュールケース８の開口部２７側則ち光プラグから離れた側の縁部を切り欠いている。切り欠き１７は、モジュールケース８内に収容される光受・送信デバイス７ａ，７ｂの複数のリード端子１６ａ，１６ｂが並ぶ方向に沿って、複数並べられている。
【００５０】
切り欠き１７は、モジュールケース８内に光受・送信デバイス７ａ，７ｂの本体部１５ａ，１５ｂを収容すると、内側に前述したリード端子１６ａ，１６ｂを位置付ける（通す）。このため、互いに隣り合う切り欠き１７間１８は、モジュールケース８内に本体部１５ａ，１５ｂが収容されると互いに隣り合う（隣接する）リード端子１６ａ，１６ｂ間に位置付けられる。
【００５１】
互いに隣り合う切り欠き１７間１８は、本明細書に記した位置決め部をなしており、以下位置決め部と呼ぶ。このため、モジュールケース８は、図５に示すように、複数のリード端子１６ａ，１６ｂのうち互いに隣り合う（隣接する）リード端子１６ａ，１６ｂ間に位置付けられる位置決め部１８を備えている。
【００５２】
シールドケース９は、導電性の板金が折り曲げられるなどして得られる。則ち、シールドケース９は、導電性である。シールドケース９は、図２に示すように、扁平な箱状の収容部１９と、一対のアース端子部２０とを一体に備えている。箱状の収容部１９を備えることで、本明細書では、シールドケース９は、箱状をなしていると記す。収容部１９は、モジュールケース８を収容するとともに、図３及び図４に示すように、第１収容部２１と、第２収容部２２と、第１収容部２１と第２収容部２２との間に設けられた隔壁２３と、重なり部２４（図６及び図７に示す）とを備えている。
【００５３】
第１収容部２１と、第２収容部２２とは、図２中の下方に設けられた開口部２５を有した扁平な箱状に形成されている。勿論、開口部２５は、第１及び第２収容部２１，２２の内外を連通している。第１収容部２１と、第２収容部２２とは、モジュールケース８内に収容される光受・送信デバイス７ａ，７ｂの本体部１５ａ，１５ｂが並ぶ方向に沿って、互いに並べられている。
【００５４】
シールドケース９の収容部１９の第１及び第２収容部２１，２２は、開口部２５を通して光受・送信デバイス７ａ，７ｂを収容したモジュールケース８のみが挿入されるようになっている。シールドケース９の収容部１９の第１及び第２収容部２１，２２は、これらの光受・送信デバイス７ａ，７ｂの本体部１５ａ，１５ｂのみを収容したモジュールケース８のみを収容する。また、第１収容部２１は、モジュールケース８内の光受・送信デバイス７ａ，７ｂのうち一方（図示例では、光受信デバイス７ａの本体部１５ａ）を収容する。第２収容部２２は、モジュールケース８内の光受・送信デバイス７ａ，７ｂのうち他方（図示例では、光送信デバイス７ｂの本体部１５ｂ）を収容する。
【００５５】
前述した構成の収容部１９は、モジュールケース８を収容した状態で、図２中手前側の一端部がハウジング５の格納室内に収容される。収容部１９の図２中手前側の一端部がハウジング５の格納室内に収容されることを、本明細書では、シールドケース９がハウジング５に取り付けられる（収容される）と記す。また、収容部１９の図２中奥側の他端部は、ハウジング５外に露出する。
【００５６】
隔壁２３は、前記開口部２５を通して第１及び第２収容部２１，２２内にモジュールケース８が挿入される方向に沿って延在している。隔壁２３は、収容部１９内の空間を、第１収容部２１と第２収容部２２とに区画している（仕切っている）。則ち、隔壁２３は、第１収容部２１と第２収容部２２とを区画している。
【００５７】
重なり部２４は、図６に示すように、第１収容部２１と第２収容部２２とに亘って設けられている。重なり部２４は、収容部１９の図２中手前側に位置するスリーブ６則ち光プラグ側に設けられている。また、重なり部２４は、第１収容部２１と第２収容部２２の図２中下端に位置する印刷配線板２寄りの縁部に設けられている。重なり部２４は、図７に示すように、第１収容部２１を構成する板金２１ａの一部と、第２収容部２２を構成する板金２２ａの一部とが互いに重なり合って構成されている。また、重なり部２４では、第１収容部２１を構成する板金２１ａの一部と第２収容部２２を構成する板金２２ａの一部とが互いに接触している。
【００５８】
一対のアース端子部２０は、光受・送信デバイス７ａ，７ｂの本体部１５ａ，１５ｂが互いに並ぶ方向の収容部１９の両縁に設けられている。則ち、一対のアース端子部２０は、収容部１９の幅方向の両縁に連なっている（設けられている）。一対のアース端子部２０は、収容部１９の両縁から印刷配線板２に向かって延在したブレード状に形成されている。一対のアース端子部２０は、シールドケース９の収容部１９が、ハウジング５の格納室に収容されると底壁１０からハウジング５の下方則ち印刷配線板２に向かって突出する。
【００５９】
アース端子部２０は、前述した印刷配線板２のスリット４内などに挿入されて、該スリット４に係合し、この印刷配線板２の導体パターンなどと電気的に接続する。アース端子部２０は、係合するなどして印刷配線板２に固定される。アース端子部２０は、シールドケース９と印刷配線板２の導体パターンとを電気的に接続する。アース端子部２０は、印刷配線板２の導体パターンを介して、シールドケース９とアース回路などとを電気的に接続する。また、アース端子部２０は、アース端子圧入部１４内に圧入されて、ハウジング５にシールドケース９を固定する。
【００６０】
また、アース端子部２０には、それぞれ、アース端子圧入部１４に係止する係止爪２６が一体に形成されている。係止爪２６が、アース端子圧入部１４に係止して、アース端子部２０は、ハウジング５にシールドケース９を固定する。
【００６１】
前述した構成のレセプタクル１は、以下のように組み立てられる。ハウジング５の受承筒内にスリーブ６の一部を挿入して、半入れ状態とする。光受・送信デバイス７ａ，７ｂそれぞれの本体部１５ａ，１５ｂを、開口部２７を通してモジュールケース８内に挿入する。このとき、モジュールケース８の位置決め部１８は、互いに隣り合うリード端子１６ａ，１６ｂ間に位置している。こうして、モジュールケース８は、光受・送信デバイス７ａ，７ｂの本体部１５ａ，１５ｂを収容する。
【００６２】
本体部１５ａ，１５ｂを収容したモジュールケース８を、開口部２５を通して、シールドケース９の第１及び第２収容部２１，２２内に挿入する。アース端子部２０をアース端子圧入部１４内に圧入する。係止爪２６が、アース端子圧入部１４内に係止する。収容部１９をハウジング５の格納室内に収容した状態で、シールドケース９をハウジング５に固定する。
【００６３】
また、アース端子部２０をアース端子圧入部１４内に圧入して、シールドケース９をハウジング５に固定する際に、シールドケース９等がスリーブ６を、受承筒の奥即ちハウジング５の奥に向かって押圧する。こうして、光受・送信デバイス７ａ，７ｂをスリーブ６に対し適切な位置に配置する。
【００６４】
このように、レセプタクル１が組み立てられる。この状態において、レセプタクル１に光プラグを嵌合させることが可能になる。さらに、前述した印刷配線板２に取り付ける際には、まず、前記印刷配線板２上に底壁１０を重ねる。アース端子部２０及びリード端子１６ａ，１６ｂを印刷配線板２のスリット４及び孔内に通す。アース端子部２０を前記印刷配線板２のスリット４に係合させて導体パターンと電気的に接続するとともに、リード端子１６ａ，１６ｂを孔内を通して印刷配線板２の導体パターンにはんだなどを用いたろう付けによって固定して、レセプタクル１を印刷配線板２に取り付ける。
【００６５】
レセプタクル１は、印刷配線板２に取り付けられ、光プラグが嵌合すると、該印刷配線板２の導体パターンを通して光送信デバイス７ｂに電気的な信号が供給される。レセプタクル１は、光送信デバイス７ｂが供給された電気的な信号を信号光に変換して、光プラグの一方の光ファイバに向かって信号光を出射する。
【００６６】
レセプタクル１は、光受信デバイス７ａに光プラグの他方の光ファイバから信号光が入力する。レセプタクル１は、光受信デバイス７ａが供給された信号光を電気的な信号に変換して、リード端子１６ａを介して印刷配線板２の導体パターンに電気的な信号を供給する。こうして、レセプタクル１は、光プラグからの信号光を電気的な信号に変換して印刷配線板２に供給し、印刷配線板２からの電気的な信号を信号光に変換して光プラグに供給する。
【００６７】
また、レセプタクル１は、外部から光受・送信デバイス７ａ，７ｂに侵入しようとする電気的なノイズを、シールドケース９の収容部１９及びアース端子部２０を介して、アース回路に逃がす。レセプタクル１は、光受・送信デバイス７ａ，７ｂから発生した電気的なノイズを、シールドケース９の収容部１９及びアース端子部２０を介して、アース回路に逃がす。こうして、レセプタクル１は、外部から光受・送信デバイス７ａ，７ｂに電気的なノイズが侵入することを防止するとともに、光受・送信デバイス７ａ，７ｂからの電気的なノイズが外部に放出されることを防止する。
【００６８】
本実施形態によれば、シールドケース９が光受・送信モジュール７ａ，７ｂの本体部１５ａ，１５ｂを収容するモジュールケース８のみを収容する。このため、シールドケース９の開口部２５を小さくすることができる。このため、シールドケース９の開口部２５を通して外部から光受・送信デバイス７ａ，７ｂに電気的なノイズが侵入しにくくなるとともに、シールドケース９の開口部２５を通して光受・送信デバイス７ａ，７ｂから電気的なノイズが外部に放出しにくくなる。したがって、光受・送信デバイス７ａ，７ｂに電気的なノイズが侵入することを防止でき、光受・送信デバイス７ａ，７ｂから電気的なノイズが放出することを防止できる。
【００６９】
光受・送信デバイス７ａ，７ｂの隣接するリード端子１６ａ，１６ｂ間にモジュールケース８の位置決め部１８が位置付けられる。このため、リード端子１６ａ，１６ｂは、モジュールケース８に対し移動しようとすると、位置決め部１８に接触しようとし、該位置決め部１８に接触することで、モジュールケース８に対し移動することが防止される。
【００７０】
このため、リード端子１６ａ，１６ｂがモジュールケース８則ちハウジング５に対しがたつくことを防止でき、これらリード端子１６ａ，１６ｂと外部の電子部品としての印刷配線板２との電気的な接続が不安定になることを防止できる。したがって、光受・送信デバイス７ａ，７ｂを印刷配線板２とを確実に電気的に接続できる。また、位置決め部１８によりリード端子１６ａ，１６ｂ同士が接触することを防止できる。したがって、位置決め部１８によりリード端子１６ａ，１６ｂ同士がショートすることを防止できる。
【００７１】
シールドケース９に隔壁２３が設けられている。このため、光受信デバイス７ａから印刷配線板２に出力される電気的な信号により発生する電気的なノイズが、光送信デバイス７ｂに侵入することを防止できる。また、光送信デバイス７ｂに入力する電気的な信号により発生する電気的なノイズが、光受信デバイス７ａに侵入することを防止できる。このため、光受・送信デバイス７ａ，７ｂが相互に及ぼす電気的なノイズを抑制でき、レセプタクル１のクロストーク特性を向上させることができる。
【００７２】
重なり部２４では、第１収容部２１を構成する板金２１ａの一部と第２収容部２２を構成する板金２２ａの一部とが重なっている。このため、レセプタクル１は、これらの収容部２１，２２を構成する板金２１ａ，２２ａが互いに重なった重なり部２４から電気的なノイズが外部に放出することを防止できる。したがって、光受・送信デバイス７ａ，７ｂからの電気的なノイズが、外部に放出することを確実に防止できる。
【００７３】
なお、前述した実施形態は本発明の代表的な形態を示したに過ぎず、本発明は、実施形態に限定されるものではない。即ち、本発明の骨子を逸脱しない範囲で種々変形して実施することができる。
【００７４】
【発明の効果】
以上の如く、請求項１に記載の本発明は、シールドケースがモジュールケースのみを収容するため、シールドケースの開口部を小さくすることができる。このため、シールドケースの開口部を通して外部から光受・送信モジュールに電気的なノイズが侵入しにくくなるとともに、シールドケースの開口部を通して光受・送信モジュールからの電気的なノイズが外部に放出されにくくなる。したがって、光受・送信モジュールに電気的なノイズが侵入することを防止でき、光受・送信モジュールからの電気的なノイズが放出されることを防止できる。
【００７５】
請求項２に記載の本発明は、光受・送信モジュールの端子間に位置決め部が位置付けられている。このため、端子は、モジュールケースに対し移動しようとすると、位置決め部に接触しようとし、該位置決め部に接触することで、モジュールケースに対し移動することが防止される。このため、端子がモジュールケース則ちハウジングに対しがたつくことを防止でき、これら端子と外部の電子部品との電気的な接続が不安定になることを防止できる。したがって、光受・送信モジュールを外部の電子部品と確実に電気的に接続できる。また、位置決め部により端子同士が接触することを防止できる。したがって、位置決め部により端子同士がショートすることを防止できる。
【００７６】
請求項３に記載の本発明は、シールドケースの第１収容部と第２収容部との間に隔壁を設けている。隔壁は、光受信モジュールから出力される電気的な信号により発生する電気的なノイズが、光送信モジュールに侵入することを防止する。また、隔壁は、光送信モジュールに入力する電気的な信号により発生する電気的なノイズが、光受信モジュールに侵入することを防止する。このため、光受・送信モジュールが相互に及ぼす電気的なノイズを抑制でき、光コネクタのクロストーク特性を向上させることができる。
【００７７】
請求項４に記載の本発明は、第１収容部を構成する板金の一部と第２収容部を構成する板金の一部とが重なっている。このため、これらの収容部を構成する板金が互いに重なった箇所から、電気的なノイズが外部に放出されることを防止できる。したがって、光受・送信モジュールからの電気的なノイズが、外部に放出されることを防止できる。
【図面の簡単な説明】
【図１】本発明の一実施形態に係る光コネクタとしてのレセプタクルを印刷配線板に取り付けた状態を示す斜視図である。
【図２】同実施形態のレセプタクルを分解して示す斜視図である。
【図３】図２中のＩＩＩ−ＩＩＩ線に沿うレセプタクルのシールドケースの断面図である。
【図４】図３に示されたシールドケース内に光受・送信デバイスを収容したモジュールケースを収容した状態を示す断面図である。
【図５】図１中のＶ−Ｖ線に沿うレセプタクルの位置決め部とリード端子との位置関係を示す断面図である。
【図６】図２中のＶＩ部を拡大して示す斜視図である。
【図７】図６中のＶＩＩ−ＶＩＩ線に沿う断面図である。
【図８】従来の光コネクタとしてのレセプタクルを分解して示す斜視図である。
【符号の説明】
１  レセプタクル（光コネクタ）
５  ハウジング
７ａ  光受信デバイス（光受信モジュール）
７ｂ  光送信デバイス（光送信モジュール）
８  モジュールケース
９  シールドケース
１５ａ，１５ｂ  本体部
１６ａ，１６ｂ  リード端子（端子）
１８  位置決め部
２１  第１収容部
２１ａ  板金
２２  第２収容部
２２ａ  板金
２３  隔壁
２４  重なり部
２５  開口部
【図１】
2005024944.tif 000003
【図２】
2005024944.tif 000004
【図３】
2005024944.tif 000005
【図４】
2005024944.tif 000006
【図５】
2005024944.tif 000007
【図６】
2005024944.tif 000008
【図７】
2005024944.tif 000009
【図８】
2005024944.tif 000010